(57)【要約】【課題】遊技機の状態をＩＣタグによりフレキシブルに監視する監視システムを提供する。【解決手段】パチンコ機１には、基板ボックス（図示外）及び大入賞口（図示外）に監視のためのＩＣタグが設置されており、ＩＣタグを呼び出して識別データを読み取るための独立したリーダライタユニット５６が付属している。また、ＨＴ４００はパチンコ機１の管理用ＩＣタグと通信して、ＩＣタグを監視するかどうかの設定と監視するための呼出波の送信間隔の設定を行うことができる。リーダライタユニット５６は、これらの設定に従って、基板ボックスや大入賞口に設置されたＩＣタグに呼出波を送信して状態を確認する。【選択図】　図１５
2004102992.tif 000002
【特許請求の範囲】
【請求項１】
ＩＣタグと、そのＩＣタグと通信を行うＩＣタグ監視装置とからなる監視システムであって、
前記ＩＣタグは、
他のＩＣタグと区別するための識別データを記憶し、
前記ＩＣタグ監視装置から送信される呼出波に応答して反射波を放出するＲＦ回路を備え、
前記ＩＣタグ監視装置は、
前記ＩＣタグを呼び出す前記呼出波を送信する送信回路と、
前記ＩＣタグから返送される前記反射波を受信する受信回路と、
前記送信回路及び前記受信回路に接続されたアンテナと、
前記送信回路が前記呼出波を送信してから所定時間内に前記受信回路が前記反射波を受信せず通信不能状態となった場合、又は、前記反射波に含まれる前記識別データが予め登録されている登録データと異なっている場合に異常と判定する判定手段と、
前記送信回路から前記呼出波を送信する間隔を変更する呼出間隔変更手段と、
を備えたことを特徴とする監視システム。
【請求項２】
複数のＩＣタグと、その複数のＩＣタグと個別に通信を行うＩＣタグ監視装置とからなる監視システムであって、
前記アンテナは、前記複数のＩＣタグに各々対応して、複数設けられ、
前記呼出間隔変更手段は、前記複数のアンテナ毎に呼出波を送信する間隔を変更可能なことを特徴とする請求項１に記載の監視システム。
【請求項３】
複数のＩＣタグと、その複数のＩＣタグと個別に通信を行うＩＣタグ監視装置とからなる監視システムであって、
前記ＩＣタグは、
他のＩＣタグと区別するための識別データを記憶し、
前記ＩＣタグ監視装置から送信される呼出波に応答して反射波を放出するＲＦ回路を備え、
前記ＩＣタグ監視装置は、
前記ＩＣタグを呼び出す前記呼出波を送信する送信回路と、
前記ＩＣタグから返送される前記反射波を受信する受信回路と、
前記送信回路及び前記受信回路に接続され、且つ、前記複数のＩＣタグに各々対応して設けられた複数のアンテナと、
前記送信回路が前記呼出波を送信してから所定時間内に前記受信回路が前記反射波を受信せず通信不能状態となった場合、又は、前記反射波に含まれる前記識別データが予め登録されている登録データと異なっている場合に異常と判定する判定手段と、
前記各アンテナ毎に、前記送信回路から送信する前記呼出波を送信するか否かの設定を行う送信設定手段と、
を備えたことを特徴とする監視システム。
【請求項４】
前記受信回路は、前記ＩＣタグと前記アンテナの距離が所定の閾値を超えて変位すると、前記反射波が受信できなくなることを特徴とする請求項１乃至３の何れかに記載の監視システム。
【請求項５】
前記ＩＣタグ監視装置は、前記判定手段による判定結果、又は、前記受信回路が前記反射波を受信できる通信可能状態から前記反射波を受信できない通信不能状態となった時点の時刻である消失時刻、前記通信不能状態から前記通信可能状態になった時点の時刻である復帰時刻、もしくは、予め登録されている登録データと異なる識別データが受信された時点の時刻であるＩＤ異常時刻のうち少なくとも１つを含む監視履歴データを記憶する記憶手段を備えたことを特徴とする請求項１乃至４の何れかに記載の監視システム。
【請求項６】
前記記憶手段は、前記判定手段による判定結果が前回から継続して正常である場合、及び、前回から継続して異常である場合には、前記判定結果及び前記監視履歴データを記憶しないことを特徴とする請求項１乃至５の何れかに記載の監視システム。
【請求項７】
前記ＩＣタグ監視装置は、前記記憶手段が記憶した内容を外部に出力する出力手段を備えたことを特徴とする請求項１乃至６の何れかに記載の監視システム。
【請求項８】
前記ＩＣタグ監視装置は、前記判定手段による判定結果、又は、前記受信回路が前記反射波を受信できる通信可能状態から前記反射波を受信できない通信不能状態となった時点の時刻である消失時刻、前記通信不能状態から前記通信可能状態になった時点の時刻である復帰時刻、もしくは、予め登録されている登録データと異なる識別データが受信された時点の時刻であるＩＤ異常時刻のうち少なくとも１つを含む監視履歴データを外部に出力する出力手段を備えたことを特徴とする請求項１乃至７の何れかに記載の監視システム。
【請求項９】
前記出力手段は、前記判定手段による判定結果が前回から継続して正常である場合、及び、前回から継続して異常である場合には、前記判定結果及び前記監視履歴データを出力しないことを特徴とする請求項８に記載の監視システム。
【請求項１０】
請求項１乃至９のいずれかに記載の監視システムを備えた遊技機。
【請求項１１】
遊技機を制御する制御素子を搭載した基板を封入し、本体部材とその本体部材から分離して取り外されるカバー部材とから構成される封入部材を備え、
前記ＩＣタグ及び前記アンテナは、一方が前記本体部材に、他方が前記カバー部材に設けられ、かつ、両者は、前記本体部材と前記カバー部材が組み付けられた状態の時に、前記封入部材に封入されて設置されていることを特徴とする請求項１０に記載の遊技機。
【請求項１２】
所定条件の成立により動作する可動部材を備え、
前記ＩＣタグ及び前記アンテナのいずれか一方が前記可動部材に設けられ、他方がその通信可能な近傍に設けられていることを特徴とする請求項１０に記載の遊技機。
【請求項１３】
請求項７乃至９のいずれかに記載の監視システムを備えた装置とその装置を管理する管理機とがネットワークを介して接続された装置管理システムであって、
前記管理機は、
前記出力手段から出力される前記判定結果又は前記監視履歴データを受信する監視履歴データ受信手段を備えたことを特徴とする装置管理システム。
【請求項１４】
前記管理機は、前記監視履歴データ受信手段が受信した前記判定結果又は前記監視履歴データを記憶する監視履歴データ記憶手段を備えたことを特徴とする請求項１３に記載の装置管理システム。
【請求項１５】
前記管理機は、前記監視履歴データ受信手段が受信した前記判定結果又は前記監視履歴データを出力する監視履歴データ出力手段を備えたことを特徴とする請求項１３又は１４に記載の装置管理システム。
【発明の詳細な説明】
【０００１】
【発明の属する技術分野】
本発明は、遊技機、例えばパチンコ機などの装置の状態を監視する監視システム、遊技機及び装置管理システムに関するものである。
【０００２】
【従来の技術】
従来、遊技機のうちパチンコ機においては、不当に遊技球を獲得する不正行為が後を絶たず、種々の防止策が施されている。特に、遊技機の制御を司る制御基板の不正改造、例えば、不正ＲＯＭへの交換を防止するために、制御基板を収納する制御基板収納ボックスには、様々な工夫が施されている。例えば、制御基板収納ボックスに封印シールを設けたり、また、制御基板に触われないように、制御基板収納ボックスを閉じるかしめ方向にのみ回転する封印ビスによって、制御基板収納ボックスの開放を困難にしているものがある（例えば、特許文献１参照）。さらに、可動接点を用いて収納ボックスの開閉を検出して、その検出信号を記憶して、発光ダイオードにより報知するようにしているものもある（例えば、特許文献２参照）。また、制御基板収納ボックスの表面にＩＣタグを貼着し、ＩＤ読取装置からの送信要求に応じてＩＣタグからその内部に記憶された識別情報をＩＤ読取装置に送信させ、識別情報を確認することにより、制御基板収納ボックスごと制御基板がすり替えられたか否かを判断するようになっているものもある（例えば、特許文献３参照）。
【０００３】
【特許文献１】
特開平１０−２１６３２４号公報
【特許文献２】
特開平９−３４３６５号公報
【特許文献３】
特開２０００−２８８２１８号公報
【０００４】
【発明が解決しようとする課題】
しかしながら、封印シールを用いるものでは、制御基板収納ボックスを開放して不正ＲＯＭへの交換が終了した後に、精巧な偽造封印シールを張られてしまうと制御基板収納ボックスが開閉されたか否かを判断することは困難だった。また、封印ビスを用いるものでは、特殊な工具で強制的に封印ビスを開放方向へ回して制御基板収納ボックスを開放して不正ＲＯＭへの交換が行われてしまうことがあった。さらに、可動接点を用いて制御基板収納ボックスの開閉を検出するものでは、制御基板収納ボックスは、通常透明の樹脂により形成されているために、収納ボックスの開閉を検出する可動接点が用いられているのが目視により分かり、基板収納ボックスの隙間から、ピアノ線などを入れて可動接点が動かないようにされてしまうことがあった。この場合には、制御基板収納ボックスの開閉を検出することができなくなると言う問題点があった。さらに、上記の従来技術では、制御基板収納ボックスが開閉されたか否かは、制御基板を目視しないと判断できないという問題点があり、このような不正行為は夜間に行われることが多いが、遊技場に何百台とある遊技機を毎朝点検確認するのは煩雑であった。また、ＩＣタグの識別により制御基板収納ボックスのすり替えを監視するものでは、ＩＤ読取装置が制御基板収納ボックスの外側に配置されているため、ＩＣタグとＩＤ読取装置の相対位置を変更せずに制御基板収納ボックスを開放し、収納された制御基板上のＲＯＭをすり替えることが可能であり、結局は、不正行為の早期発見には至らなかった。さらに、運送中や夜間も監視するためには、バッテリーを内蔵する必要があるが、複数箇所を監視したり、リアルタイムに監視するためには、容量の大きなバッテリーが必要である。
【０００５】
本発明は、上記課題を解決するためになされたものであり、制御基板収納ボックスの開閉等の装置の状態を監視する監視システム、遊技機及び装置管理システムを提供することを目的としている。
【０００６】
【課題を解決するための手段】
上記目的を達成するために、請求項１に記載の監視システムは、ＩＣタグと、そのＩＣタグと通信を行うＩＣタグ監視装置とからなる監視システムであって、前記ＩＣタグは、他のＩＣタグと区別するための識別データを記憶し、前記ＩＣタグ監視装置から送信される呼出波に応答して反射波を放出するＲＦ回路を備え、前記ＩＣタグ監視装置は、前記ＩＣタグを呼び出す前記呼出波を送信する送信回路と、前記ＩＣタグから返送される前記反射波を受信する受信回路と、前記送信回路及び前記受信回路に接続されたアンテナと、前記送信回路が前記呼出波を送信してから所定時間内に前記受信回路が前記反射波を受信せず通信不能状態となった場合、又は、前記反射波に含まれる前記識別データが予め登録されている登録データと異なっている場合に異常と判定する判定手段と、前記送信回路から前記呼出波を送信する間隔を変更する呼出間隔変更手段とを備えたことを特徴とする。
【０００７】
この構成の監視システムでは、ＩＣチップを内蔵したＩＣタグに対し、ＩＣタグ監視装置に備えられた送信回路がアンテナを介して呼出波を送信してＩＣタグを呼び出す。すると、ＩＣタグは記憶しているＩＤコード等の識別データを含む反射波を返し、これをＩＣタグ監視装置に備えられた受信回路がアンテナを介して受信する。そして、送信回路が呼出波を送信してから所定時間内に受信回路が反射波を受信せず通信不能状態となった場合、又は、反射波に含まれる識別データが予め登録されている登録データと異なっていた場合には、判定手段が異常と判定する。さらに、呼出間隔変更手段が送信回路から送信される呼出波の送信間隔を変更する。
【０００８】
ＩＣタグは、ＲＦＩＤ（Ｒａｄｉｏ　Ｆｒｅｑｕｅｎｃｙ−ＩＤｅｎｔｉｆｉｃａｔｉｏｎ）とも呼ばれ、内蔵のＩＣチップは非接触型のＩＣカードと同様のものであり、非接触通信により交信を行う。ＩＣチップ内のメモリ領域には、識別データとして、ＩＣタグ固有のＩＤコードに加えて、設置されている装置のＩＤ（メーカーＩＤ）、遊技場の管理コード（ホールＩＤ）等を追記して記憶させておくことが可能である。これらのＩＤは、それぞれが６４ｂｉｔ程度のユニークな（一意に識別できる）情報で構成されており、ＩＤを２重３重に構成することで、複製して不正に利用することは非常に困難になる。呼出波に応えて送信される反射波にはこのような識別データが含まれるため、光や電気等に比べて改竄やいわゆる「なりすまし」が難しい。従って、常にはＩＣタグをアンテナから通信可能な位置に設置しておくと、ＩＣタグを固着した部材が通信可能な範囲外へ移動する等した場合には、反射波が受信できなくなり、通信不能となる。また、通信不能状態から、通信可能範囲内の位置へ再び復帰すると反射波が受信できるようになる。このため、目視によらず部材の開放や移動等装置の状態の変化を検知することができる。このような通信不能と復帰を記憶させて履歴に残すようにすれば、正常な場合と不正な場合とを区別することもでき、効果的に監視を行うことができる。さらに、呼出間隔変更手段により呼出波を送信する間隔を適宜変更すれば、ＩＣタグを設置した部材により、最適な間隔で呼出波を送信し、電力消費を最低限に抑えつつ効果的な監視を行うことができる。
【０００９】
請求項２に記載の監視システムは、請求項１に記載の発明の構成に加え、複数のＩＣタグと、その複数のＩＣタグと個別に通信を行うＩＣタグ監視装置とからなる監視システムであって、前記アンテナは、前記複数のＩＣタグに各々対応して、複数設けられ、前記呼出間隔変更手段は、前記複数のアンテナ毎に呼出波を送信する間隔を変更可能なことを特徴とする。
【００１０】
この構成の監視システムでは、請求項１に記載の発明の作用に加え、呼出間隔変更手段が複数のアンテナのそれぞれに対応して呼出波を送信する間隔を変更する。従って、例えば、遊技機にこの監視システムを適用する場合、遊技機の制御基板を封入した基板ボックスに設置したＩＣタグに対しては比較的長サイクルで呼出波を送信し、大入賞口等の可変入賞口に設置したＩＣタグに対しては短サイクルで呼出波を送信するように設定することが考えられる。
【００１１】
請求項３に記載の監視システムは、複数のＩＣタグと、その複数のＩＣタグと個別に通信を行うＩＣタグ監視装置とからなる監視システムであって、前記ＩＣタグは、他のＩＣタグと区別するための識別データを記憶し、前記ＩＣタグ監視装置から送信される呼出波に応答して反射波を放出するＲＦ回路を備え、前記ＩＣタグ監視装置は、前記ＩＣタグを呼び出す前記呼出波を送信する送信回路と、前記ＩＣタグから返送される前記反射波を受信する受信回路と、前記送信回路及び前記受信回路に接続され、且つ、前記複数のＩＣタグに各々対応して設けられた複数のアンテナと、前記送信回路が前記呼出波を送信してから所定時間内に前記受信回路が前記反射波を受信せず通信不能状態となった場合、又は、前記反射波に含まれる前記識別データが予め登録されている登録データと異なっている場合に異常と判定する判定手段と、前記各アンテナ毎に、前記送信回路から送信する前記呼出波を送信するか否かの設定を行う送信設定手段とを備えたことを特徴とする。
【００１２】
この構成の監視システムでは、ＩＣチップを内蔵した複数のＩＣタグに対し、ＩＣタグ監視装置に備えられた送信回路がＩＣタグに対応した複数のアンテナを介して呼出波を送信してＩＣタグを呼び出す。すると、ＩＣタグは記憶しているＩＤコード等の識別データを含む反射波を返し、これをＩＣタグ監視装置に備えられた受信回路がアンテナを介して受信する。そして、送信回路が呼出波を送信してから所定時間内に受信回路が反射波を受信せず通信不能状態となった場合、又は、反射波に含まれる識別データが予め登録されている登録データと異なっていた場合には、判定手段が異常と判定する。さらに、送信設定手段が送信回路から呼出波を送信するか否かを決定する。
【００１３】
従って、送信設定手段により呼出波を送信するかどうかを適宜変更すれば、ＩＣタグを設置した部材や時間帯により、必要な時のみ呼出波を送信し、電力消費を最低限に抑えつつ効果的な監視を行うことができる。
【００１４】
請求項４に記載の監視システムは、請求項１乃至３の何れかに記載の発明の構成に加え、前記受信回路は、前記ＩＣタグと前記アンテナの距離が所定の閾値を超えて変位すると、前記反射波が受信できなくなることを特徴とする。
【００１５】
この構成の監視システムでは、請求項１乃至３の何れかに記載の発明の作用に加え、ＩＣタグとアンテナの距離が離れると、受信回路が反射波を受信できなくなり、通信不能となる。従って、ＩＣタグを開閉する部材に設置したような場合、部材が開放されることによってＩＣタグとアンテナの距離が離れると通信不能になるので、開放を検知することができる。
【００１６】
請求項５に記載の監視システムは、請求項１乃至４の何れかに記載の発明の構成に加え、前記ＩＣタグ監視装置は、前記判定手段による判定結果、又は、前記受信回路が前記反射波を受信できる通信可能状態から前記反射波を受信できない通信不能状態となった時点の時刻である消失時刻、前記通信不能状態から前記通信可能状態になった時点の時刻である復帰時刻、もしくは、予め登録されている登録データと異なる識別データが受信された時点の時刻であるＩＤ異常時刻のうち少なくとも１つを含む監視履歴データを記憶する記憶手段を備えたことを特徴とする。
【００１７】
この構成の監視システムでは、請求項１乃至４の何れかに記載の発明の作用に加え、記憶手段が、判定結果又は、監視履歴データを記憶する。監視履歴データには、受信回路が反射波を受信できなくなった時点の時刻（消失時刻）、再び受信できるようになった時点の時刻（復帰時刻）、ＩＣタグのすり替え等により予め登録されている登録データと異なる識別データが受信された時点の時刻（ＩＤ異常時刻）のいずれかが含まれる。従って、ＩＣタグの監視履歴を後から参照することができる。また、不正が行われた正確な時刻を知ることができるため、監視システムの設置された装置のある遊技場等に監視カメラが設置されている場合には、監視カメラの撮影時刻と照合すれば、不正行為をなした人物を特定することも可能である。
【００１８】
請求項６に記載の監視システムは、請求項１乃至５の何れかに記載の発明の構成に加え、前記記憶手段は、前記判定手段による判定結果が前回から継続して正常である場合、及び、前回から継続して異常である場合には、前記判定結果及び前記監視履歴データを記憶しないことを特徴とする。
【００１９】
この構成の監視システムでは、請求項１乃至５の何れかに記載の発明の作用に加え、判定手段による判定結果が前回から継続して正常又は異常である場合には、判定結果や監視履歴データは記憶されない。従って、正常であれ異常であれ状態の変化がない場合は記憶せず、状態の変化があった場合のみ記憶するようにしたので、記憶容量を節約することができる。
【００２０】
請求項７に記載の監視システムは、請求項１乃至６の何れかに記載の発明の構成に加え、前記ＩＣタグ監視装置は、前記記憶手段が記憶した内容を外部に出力する出力手段を備えたことを特徴とする。
【００２１】
この構成の監視システムでは、請求項１乃至６の何れかに記載の発明の作用に加え、記憶された判定結果や監視履歴データが外部に出力される。従って、異常と判定された場合に光や音等で報知する等して注意を喚起することができる。
【００２２】
請求項８に記載の監視システムは、請求項１乃至７の何れかに記載の発明の構成に加え、前記ＩＣタグ監視装置は、前記判定手段による判定結果、又は、前記受信回路が前記反射波を受信できる通信可能状態から前記反射波を受信できない通信不能状態となった時点の時刻である消失時刻、前記通信不能状態から前記通信可能状態になった時点の時刻である復帰時刻、もしくは、予め登録されている登録データと異なる識別データが受信された時点の時刻であるＩＤ異常時刻のうち少なくとも１つを含む監視履歴データを外部に出力する出力手段を備えたことを特徴とする。
【００２３】
この構成の監視システムでは、請求項１乃至７の何れかに記載の発明の作用に加え、出力手段が、判定結果又は、監視履歴データを外部に出力する。監視履歴データには、受信回路が反射波を受信できなくなった時点の時刻（消失時刻）、再び受信できるようになった時点の時刻（復帰時刻）、ＩＣタグのすり替え等により予め登録されている登録データと異なる識別データが受信された時点の時刻（ＩＤ異常時刻）のいずれかが含まれる。出力された判定結果や監視履歴データは外部装置において報知を行ったり、外部装置側で記憶してＩＣタグの監視履歴を後から参照することができる。また、不正が行われた正確な時刻を知ることができるため、監視システムの設置された装置のある遊技場等に監視カメラが設置されている場合には、監視カメラの撮影時刻と照合すれば、不正行為をなした人物を特定することも可能である。
【００２４】
請求項９に記載の監視システムは、請求項８に記載の発明の構成に加え、前記出力手段は、前記判定手段による判定結果が前回から継続して正常である場合、及び、前回から継続して異常である場合には、前記判定結果及び前記監視履歴データを出力しないことを特徴とする。
【００２５】
この構成の監視システムでは、請求項８に記載の発明の作用に加え、判定手段による判定結果が前回から継続して正常又は異常である場合には、判定結果や監視履歴データは外部に出力されない。従って、正常であれ異常であれ状態の変化がない場合は外部に出力せず、状態の変化があった場合のみ外部に出力するようにしたので、効率的に出力結果を利用することができる。
【００２６】
請求項１０に記載の遊技機は、請求項１乃至９のいずれかに記載の監視システムを備えている。この構成の遊技機では、請求項１乃至９のいずれかに記載の発明の作用を奏することができる。
【００２７】
請求項１１に記載の遊技機は、請求項１０に記載の発明の構成に加え、遊技機を制御する制御素子を搭載した基板を封入し、本体部材とその本体部材から分離して取り外されるカバー部材とから構成される封入部材を備え、前記ＩＣタグ及び前記アンテナは、一方が前記本体部材に、他方が前記カバー部材に設けられ、かつ、両者は、前記本体部材と前記カバー部材が組み付けられた状態の時に、前記封入部材に封入されて設置されていることを特徴とする。
【００２８】
この構成の遊技機では、請求項１０に記載の発明の作用に加え、ＩＣタグと、アンテナとが本体部材とカバー部材に別個に設けられ、本体部材とカバー部材が組み付けられた状態の時に、両者は封入部材に封入されているため、カバー部材が開けられると、ＩＣタグとアンテナの相対位置が変化し、通信不能状態となる。これを外部に出力したり、記憶して履歴を取ったりすることにより、基板の交換等を目的とした不正な開放を検知することができる。すぐに報知するように構成すれば、不正行為の早期発見に役立つ。
【００２９】
請求項１２に記載の遊技機は、請求項１０に記載の発明の構成に加え、所定条件の成立により動作する可動部材を備え、前記ＩＣタグ及び前記アンテナのいずれか一方が前記可動部材に設けられ、他方がその通信可能な近傍に設けられていることを特徴とする。
【００３０】
この構成の遊技機では、請求項１０に記載の発明の作用に加え、入賞口や始動口等の所定条件の成立により動作する可動部材を備えた遊技部材にＩＣタグかアンテナを備え、その通信可能な近傍に他方を備えている。従って、可動部材が動作すると、反射波が受信できなくなり、これを所定条件の成立の有無とつきあわせることにより、正常な動作か不正行為かを検知することができる。ここで、所定条件の成立には、遊技媒体の入賞により抽選が行われ、その結果が予め定められた当りの値に該当する場合等が該当する。
【００３１】
請求項１３に記載の装置管理システムは、請求項７乃至９のいずれかに記載の監視システムを備えた装置とその装置を管理する管理機とがネットワークを介して接続された装置管理システムであって、前記管理機は、前記出力手段から出力される前記判定結果又は前記監視履歴データを受信する監視履歴データ受信手段を備えたことを特徴とする。
【００３２】
この構成の装置管理システムでは、請求項７乃至９のいずれかに記載の発明の作用に加え、管理機の監視履歴データ受信手段が、ＩＣタグ監視装置の出力手段から出力された判定結果や監視履歴データを受信する。従って、個々の装置の監視履歴データを管理機側で把握して早期に対応することが可能になる。
【００３３】
請求項１４に記載の装置管理システムは、請求項１３に記載の発明の構成に加え、前記管理機が、前記監視履歴データ受信手段が受信した前記判定結果又は前記監視履歴データを記憶する監視履歴データ記憶手段を備えたことを特徴とする。
【００３４】
この構成の装置管理システムでは、請求項１３に記載の発明の作用に加え、受信した監視履歴データを管理機の監視履歴データ記憶手段が記憶する。従って、個々の装置の監視履歴データを管理機側で一括して記憶し、ＩＣ監視装置の記憶内容をクリアしたり、複数の装置の監視履歴を比較したりする等、柔軟な対応が可能になる。
【００３５】
請求項１５に記載の装置管理システムは、請求項１３又は１４に記載の発明の構成に加え、前記管理機が、前記監視履歴データ受信手段が受信した前記判定結果又は前記監視履歴データを出力する監視履歴データ出力手段を備えたことを特徴とする。
【００３６】
この構成の装置管理システムでは、請求項１３又は１４に記載の発明の作用に加え、受信した監視履歴データを管理機の監視履歴データ出力手段が出力する。従って、複数の装置の監視履歴をまとめて一ヶ所で表示したり、警告ランプや音等で報知したりして不正行為等に効率的に対応できる。
【００３７】
【発明の実施の形態】
以下、本発明の一実施の形態について、図面を参照して説明する。図１は、本実施の形態の遊技機管理システムの構成図である。本実施の形態は、遊技機であるパチンコ機１、管理機である島コンピュータ１００、パチンコ機１に接続して遊技情報の管理を行うホールコンピュータ３００、ＩＣタグ監視装置であるリーダライタユニット５６（以下、「Ｒ／Ｗユニット」と称する。）と、ＩＣタグを呼び出す間隔の変更とＩＣタグを監視するか否かの設定を行うハンディターミナル４００（以下、「ＨＴ」と称する。）とから構成されている。本実施の形態では、遊技場に、複数台のパチンコ機１を背中合わせに２列に並べて設置した遊技機設置島５００があり、遊技機設置島５００には各々島コンピュータ１００が設置され、また、パチンコ機１には、パチンコ機１に備えられたＩＣタグを呼び出して識別データを読み取るための独立したＲ／Ｗユニット５６が備えられている。パチンコ機１は、自身が設置されている遊技機設置島５００に設置された島コンピュータ１００と遊技場全体を管理するホールコンピュータ３００とにＲ／Ｗユニット５６を介して接続している。ここで、Ｒ／Ｗユニット５６と島コンピュータ１００、Ｒ／Ｗユニット５６とホールコンピュータ３００との接続は、通信ケーブル等を用いずに、電波により無線で行われている。
【００３８】
そして、パチンコ機１には、パチンコ機１を制御するためにパチンコ機１の背面に設置された主制御基板４１を収納した基板ボックス８０（図７参照）と大入賞口１６（図８参照）の開閉扉１６ａにそれぞれ識別データを記憶したＩＣタグを設置しており、Ｒ／Ｗユニット５６はＩＣタグに呼出波を送信して反射波を受信し、反射波に含まれた識別データを読み取ることにより、設置箇所の異常又は異常回復を検知する。また、検知された結果は、島コンピュータ１００及びホールコンピュータ３００に検知の都度送信され、各々の機器に表示され、遊技場内で係員が対応できるようになっている。
【００３９】
また、ＨＴ４００は、パチンコ機１の前面側からアクセス可能に備えられた管理用ＩＣタグ２４と通信することができ、管理用ＩＣタグ２４を介してＲ／Ｗユニット５６に記憶されている監視履歴データを取得し、画面にて監視履歴データを閲覧することができる。さらに、ＨＴ４００は、管理用ＩＣタグ２４を介してＲ／Ｗユニット５６に各ＩＣタグへの呼出波の送信を行うか否か（ＩＣタグの監視を行うか否か）の設定や、呼出波の送信間隔の変更の設定を行う。
【００４０】
図２は、パチンコ機１のガラス枠１３を開いた状態の斜視図である。図２に示すように、パチンコ機１の正面の上半分の部分には、略正方形の遊技盤２が設けられ、遊技盤２には、ガイドレールで囲まれた略円形の遊技領域４が設けられており、透明なガラス板を保持したガラス枠１３で覆われている。パチンコ機１の遊技盤２の下方部には、図示外の発射装置に遊技球を供給し、また、賞品球を受ける上皿５が設けられ、上皿５の直下には、賞品球を受ける下皿６が設けられ、下皿６の右横には、発射ハンドル７が設けられている。
【００４１】
また、遊技領域４の略中央には、液晶画面を備えた特別図柄表示装置８が設けられている。この特別図柄表示装置８には、第１図柄停止部Ｌ１、第２図柄停止部Ｌ２、第３図柄停止部Ｌ３及び普通図柄表示部８ａが設けられており、普通図柄表示部８ａには、一桁の数字や一文字のアルファベットあるいは記号やマーク等の図柄を表示できるようになっている。また、特別図柄表示装置８の下側には、特別図柄始動電動役物１５が設けられており、その特別図柄始動電動役物１５の下方には、大入賞口１６が設けられている。また、特別図柄始動電動役物１５には、遊技球が通過したことを検出する図柄始動口センサ２３が設けられている。パチンコ機１では、大入賞口１６は通常の遊技状態では閉じている。そして、遊技球が図柄始動口センサ２３を通過することにより、特別図柄表示装置８の各停止部Ｌ１、Ｌ２、Ｌ３に表示されている図柄が変化し、所定時間経過後図柄が確定する。確定した図柄が大当たり条件に合致し、大当たり状態となった場合には、大入賞口１６が長時間開いて、遊技球が入賞できるようになり、大量の賞品球を獲得するチャンスとなる。そこで、不正に大入賞口１６を開いて、遊技球を入賞させて賞品球を獲得する不正行為が行われる。また、遊技領域４の下端部に設けられているアウト口１７には、何れの入賞口にも入賞できなかった遊技球が集まり、遊技領域４から排出される。尚、遊技盤２には、上記以外に、種々の電飾ランプ、風車及び多数の障害釘等が設けられている。さらに、ガラス枠１３の内側の開閉軸側上部には、管理用ＩＣタグ２４が剥離不可能に設置され、この管理用ＩＣタグ２４からはケーブル２４ｋが配線され、後述するＲ／Ｗユニット５６に接続している。また、大入賞口１６を構成するアタッカ部材１６０（図８参照）には、大入賞口１６の開閉を監視するためのＩＣタグ及びアンテナが設置されている。
【００４２】
次に、図３を参照して、パチンコ機１の背面の構造について説明する。図３はパチンコ機１の背面図である。図３に示すように、パチンコ機１の左下部背面には、パチンコ機１の主制御を司る主制御基板４１を収納した基板ボックス８０が設けられ、基板ボックス８０の右隣には音基板４３が、音基板４３の右隣上方には電源基板４２が、その下方には払出制御基板４５がそれぞれ透明な樹脂製のボックスに収められて配置されている。さらに、基板ボックス８０の上方には、遊技盤の裏面を保護し、各種配線を覆うセンターカバー９０が配置され、そのセンターカバー９０の外側にＲ／Ｗユニット５６が設置されている。
【００４３】
次に、図４を参照してパチンコ機１及びＲ／Ｗユニット５６の電気的構成について説明する。図４は、パチンコ機１及びＲ／Ｗユニット５６の電気的回路構成を示すブロック図である。Ｒ／Ｗユニット５６には、Ｒ／Ｗユニット５６の制御を司るＣＰＵ３１が設けられ、ＣＰＵ３１にはＲ／Ｗユニット５６に接続されているパチンコ機１の監視履歴データを記憶する不揮発メモリであるＥＥＰＲＯＭ３２と、各種データを一時的に記憶するＲＡＭ３３と、ＣＰＵ３１で実行される制御プログラム等を記憶したＲＯＭ３４と、タイマ回路３９と、送信回路及び受信回路であるＲＦ（Ｒａｄｉｏ　Ｆｒｅｑｕｅｎｃｙ：高周波無線）回路３７と、データの受渡の仲介を行うＩ／Ｏインターフェース３０とを備えている。ここで、ＥＥＰＲＯＭ３２には、各ＩＣタグの監視を行うか否かの設定を記憶するための監視ＯＮ／ＯＦＦ設定記憶エリア３２ａと、各ＩＣタグへの呼出波の送信間隔を記憶するための呼出間隔記憶エリア３２ｂと、ＩＣタグの監視履歴データを記憶するための監視履歴データ記憶エリア３２ｃとが用意されている。また、ＲＦ回路３７は、パチンコ機１に設置されたＩＣタグ２５と通信するアンテナ３５と、ＩＣタグ２６と通信するアンテナ３６とを備えており、Ｉ／Ｏインターフェース３０は、パチンコ機１から情報を取得するための入力ポート３８と、島コンピュータ１００及びホールコンピュータ３００と通信するための送受信回路４０を備えている。送受信回路４０は無線通信するためのアンテナ４０ａを備えており、入力ポート３８はパチンコ機１のＩ／Ｏインターフェース２９に接続している。
【００４４】
また、パチンコ機１には主制御基板４１が設けられており、主制御基板４１には、プログラムに従って各種の処理を行うＬＳＩ５０及びパチンコ機１の他の構成要素やＲ／Ｗユニット５６とデータの受け渡しの仲介を行うＩ／Ｏインターフェース２９が設けられている。ＬＳＩ５０には、各種の演算処理を行うＣＰＵ５０ｂ、フラグやカウンタ値やデータやプログラム等を記憶するＲＡＭ５０ａと、制御プログラム及び各種の初期値のデータ等を記憶したＲＯＭ５０ｃとが設けられており、これらは一つのＬＳＩとして一体にモールディングされている。また、Ｉ／Ｏインターフェース２９には、電源基板４２、音基板４３、図柄表示基板４４、払出制御基板４５、電飾基板４６、発射基板４７等の各種基板が接続している。電源基板４２は島側から供給された交流電流（２４Ｖ）を直流電流に変換して各基板に直流電流を供給し、音基板４３はパチンコ機１の効果音の発生を制御し、図柄表示基板４４は特別図柄表示装置８の制御を行い、払出制御基板４５は賞品球払出装置（図示せず）の制御を行い、電飾基板４６はパチンコ１の各電飾の発光態様の制御を行い、発射基板４７は、遊技球を発射する発射モータ（図示せず）の制御を行っている。また、パチンコ機１には、管理用ＩＣタグ２４、ＩＣタグ２５及びＩＣタグ２６が備えられており、管理用ＩＣタグ２４は、ケーブル２４ｋ（図２参照）を介してＲ／Ｗユニット５６のＩ／Ｏインターフェース３０に接続し、ＩＣタグ２５及びＩＣタグ２６は、それぞれアンテナ３５及びアンテナ３６と通信可能である。
【００４５】
次に、図５及び図６を参照してＩＣタグ２５の構造について説明する。図５は、ＩＣタグ２５の平面図である。ＩＣタグ２５は、図５に示すように、薄いフレキシブルプリント基板上にＩＣチップ２５ｄ及びアンテナ回路２５ｂが設けられている。図６は、ＩＣタグ２５の電気的回路構成を示すブロック図である。ＩＣタグ２５には、Ｒ／Ｗユニット５６からの呼出波に応答して反射波を放出するＲＦ回路２５ａ、アンテナ回路２５ｂ、ＥＥＰＲＯＭ２５ｃが搭載されている。ＩＣチップ２５ｄは、ＲＦ回路２５ａとＥＥＰＲＯＭ２５ｃとが一体となって構成されている。ＥＥＰＲＯＭ２５ｃには、ＩＣタグ２５を他のＩＣタグから識別するための識別データが上書消去禁止区域に記憶されている。Ｒ／Ｗユニット５６からアンテナ３５を介して呼出波が送られてくると、アンテナ２５ｂがこれを受信するが、この呼出波には搬送波成分が含まれており、これを受信してＲＦ回路２５ａで整流して直流電圧を得る。従って、ＩＣタグ２５は、電池や外部電源を使用せずに必要な時にいつでもデータを発信することができる。データの発信は、ＥＥＰＲＯＭ２５ｃからＩＤコード等の識別データを読み出して反射波に乗せ、ＲＦ回路２５ａからアンテナ３５に向けて送信する。また、一旦Ｒ／Ｗユニット５６のＲＡＭ５６ｂに記憶された消失時刻や復帰時刻などのデータを後に受信してＥＥＰＲＯＭ２５ｃに記憶しておくこともできる。尚、ＩＣタグ２６も同様の構造をしている。また、管理用ＩＣタグ２４は、ＩＣタグ２５の構造に加え、ＩＣチップ２５ｄにＲＡＭ内蔵型のＣＰＵ及びＲＯＭを備えており、さらにＲ／Ｗユニット５６と接続するための入出力ポートを備え、ケーブル２４ｋによりＲ／Ｗユニット５６と接続することができる。
【００４６】
次に、図７を参照して、基板ボックス８０を監視するために基板ボックス８０に備えられたＩＣタグ２５及びアンテナ３５について説明する。図７は基板ボックス８０の斜視図である。図７に示すように、基板ボックス８０は、透明な樹脂製の平面視略長方形の上蓋部８０ａと、同じく透明な樹脂製の平面視略長方形の下蓋部８０ｃとから構成されている。また、上蓋部８０ａに対向する下蓋部８０ｃ上には、パチンコ機１の主制御を司る主制御基板４１が配置されている。そして、上蓋部８０ａの裏面側には、小型で長方形のＩＣタグ２５（図５参照）が接着剤等で接着されている。主制御基板４１の右下端部には、切り欠きが設けられ、その切り欠き位置にはＩＣタグ２５と電磁波によるＲＦ送受信を行うためのコイル状のアンテナ３５が下蓋部８０ｃに設けられ、アンテナ３５は同軸ケーブル５６ｋによりＲ／Ｗユニット５６に接続されている。
【００４７】
本実施形態において、ＩＣタグ２５とアンテナ３５は、１３．５６ＭＨｚの短波帯で通信を行っている。この周波数帯での通信はノイズによる影響を受けにくいので、パチンコ機１の設置環境に適している。アンテナ３５とＩＣタグ２５との距離は、上蓋部８０ａと下蓋部８０ｃを組み付けた状態で約３ｍｍになるように配置されている。この距離間ではＲＦ送受信が可能でありアンテナ３５を介したＲ／Ｗユニット５６からの呼び出しにＩＣタグ２５が応答することができ、アンテナ３５とＩＣタグ２５との距離が約５ｍｍを超えると通信不能となるように設定されている。この通信可能距離は、アンテナ３５のコイルの巻き数やリアクタンス値により調節が可能である。このように通信可能距離を設定することにより、上蓋部８０ａのわずかな隙間の開放であっても検知することができ、また、振動等によるわずかな揺れでは通信不能とならないように調整されている。また、上述したように、この周波数帯での通信はノイズによる影響を受けにくいが、他の電磁波を使用する部材からのノイズの影響による誤動作を少しでも防ぐために、ＩＣタグ２５やアンテナ３５は、ソレノイドを使用している賞品払出装置や発射モータ（図示外）から離した位置である主制御基板４１の右下端部に配置している。
【００４８】
次に、図８を参照して、所定条件の成立により開閉扉１６ａを開閉して大入賞口１６を形成する可変入賞装置の一種であるアタッカ部材１６０へのＩＣタグの設置について説明する。図８は、開閉扉１６ａが開放されている状態のアタッカ部材１６０の斜視図である。図８に示すように、アタッカ部材１６０の開閉扉１６ａの表面には、前述したＩＣタグ２６（図５参照）が貼り付けられ、さらにＩＣタグ２６を覆うように装飾シール等が貼付されて遊技者からは見えないようになっている。また、アタッカ部材１６０の開口部１６ｂである大入賞口１６の周囲には、ＩＣタグ２６を囲むようにループ形状のアンテナ３６が設けられ、アンテナ３６は同軸ケーブル５６ｋによりＲ／Ｗユニット５６に接続されている。このＩＣタグ２６は、送受信方向に指向性があり、アンテナ３６と平行に位置した場合のみ送受信可能である。また、ＩＣタグ２６とアンテナ３６は、ＩＣタグ２５とアンテナ３５と同様に、１３．５６ＭＨｚの短波帯で通信を行っている。上述のように、この周波数帯での通信はノイズによる影響を受けにくいが、他の電磁波を使用する部材からのノイズの影響による誤動作を少しでも防ぐために、例えば、大入賞口開放ソレノイド７０は、ＩＣタグ２６やアンテナ３６から離したアタッカ部材１６０の左奥に配置している。
【００４９】
大入賞口１６の閉鎖状態では、開閉扉１６ａが大入賞口１６の開口部１６ｂを塞いでおり、ＩＣタグ２６とアンテナ３６はほぼ同一平面上に位置しているので、送受信可能であり、アンテナ３６を介したＲ／Ｗユニット５６からの呼出波に対してＩＣタグ２６から反射波が返される。一方、図８に示すように開閉扉１６ａが開くと、ＩＣタグ２６とアンテナ３６とは平行でなくなり、通信可能な臨界角度を超えるので、ＩＣタグ２６はＲ／Ｗユニット５６からの呼び出しに応答できなくなる。
【００５０】
次に、図９及び図１０を参照して島コンピュータ１００について説明する。図９は、島コンピュータ１００の正面図である。島コンピュータ１００は、遊技機設置島５００の端に設置され、係員から見やすい場所に配置されている。図９に示すように、島コンピュータ１００は、上部に警告ランプ１０８を、正面に表示器１０７を備えている。島コンピュータ１００に接続されているパチンコ機１のいずれかで大入賞口１６の開閉扉１６ａの不正開放もしくは基板ボックス８０の開放が検知され、島コンピュータ１００に報知された場合には、警告ランプ１０８が点灯し、遊技場の係員の注意を喚起するようになっている。また、表示器１０７には、どのパチンコ機１で何の開放が検知されたのかを表示するようになっている。図９では、１３番台の大入賞口１６の開閉扉１６ａが不正開放された旨が表示器１０７に表示され、警告ランプ１０８が点灯している。警告ランプ１０８の点灯及び表示器１０７の表示は、係員がクリアボタン１１０を押下することにより消去することができる。
【００５１】
図１０は、島コンピュータ１００の電気的構成を示すブロック図である。島コンピュータ１００は、各種の演算を行うＣＰＵ１０１と、フラグやデータ等を一時的に記憶するＲＡＭ１０２と、制御プログラム及び各種の初期値のデータ等を記憶したＲＯＭ１０３と、監視履歴データを記憶したＥＥＰＲＯＭ１０４と、Ｒ／Ｗユニット５６とデータの送受信を行うためのＩ／Ｏインターフェース１０５と、通信回路１０６と、受信した監視履歴データを表示するための表示器１０７と、受信した監視履歴データに基づいて点灯される警告ランプ１０８とから構成されている。監視履歴データは、ＥＥＰＲＯＭ１０４内に用意された監視履歴データ記憶エリア１０４１に記憶されている。通信回路１０６には、アンテナ１０９が接続されパチンコ機１と通信可能となっており、パチンコ機１のＩＤコード、消失時刻、復帰時刻等の監視履歴データを受信する。受信した監視履歴データに基づき、表示器１０７への表示、警告ランプ１０８の点灯が行われる。
【００５２】
次に、図１１を参照して、Ｒ／Ｗユニット５６がＩＣタグに対して呼出波を送信するか否か、すなわち、そのＩＣタグの監視を行うか否かの設定について説明する。例えば、大入賞口１６に対する不正は営業中でなければ考えにくく、営業時間外や製造メーカーから遊技場への輸送途中等では大入賞口１６に設置されたＩＣタグ２６への呼出波の送信をする必要はあまりない。このような場合に呼出波の送信を行わないよう設定することにより、内蔵されたバッテリーの消費電力を抑えて効率的に監視を行うことができる。図１１は、Ｒ／Ｗユニット５６のＥＥＰＲＯＭ３２内に設けられた監視ＯＮ／ＯＦＦ設定記憶エリア３２ａのデータ構造を示す模式図である。ここには、ＩＣタグごとに呼出波の送信を行うか否かの情報が記憶される。後述のようにＨＴ４００を係員が操作すると、管理用ＩＣタグ２４を介してＲ／Ｗユニット５６に設定情報が送られ、記憶される。番号欄には１から順に番号が振られており、設定が行われる度に次の番号が振られて新しいデータが追加される。日付欄には設定が行われた日付が、時刻欄には設定が行われた時刻がセットされている。位置欄にはＩＣタグが設置されている場所を示すコードがセットされている。大入賞口１６を監視するためのＩＣタグ２６を示す場合には「１」、基板ボックスを監視するためのＩＣタグ２５を示す場合には「２」がセットされる。ＯＮ／ＯＦＦ欄には、位置欄で指定したＩＣタグに対して呼出波の送信を行う場合には「１」が、呼出波の送信を行わない場合には「０」がセットされる。
【００５３】
例えば、図１１に示す例では、データ番号１のデータは２００２年８月２５日の１３：４０に作成されている。位置情報は「１」で、ＯＮ／ＯＦＦは「０」なので、大入賞口１６のＩＣタグ２６に対しては呼出波の送信を行わないよう設定されている。また、データ番号２のデータは、データ１と同じく２００２年８月２５日の１３：４０に作成されている。位置情報は「２」で、ＯＮ／ＯＦＦは「１」なので、基板ボックス８０のＩＣタグ２５に対しては呼出波の送信を行うよう設定されている。このような設定は、パチンコ機１の製造メーカーから遊技場への輸送を行う前に行うことが考えられる。
【００５４】
次に、図１２を参照して、Ｒ／Ｗユニット５６がＩＣタグに対して呼出波を送信する間隔の設定について説明する。例えば、遊技中においては、大入賞口１６に対する不正は数十ミリ秒〜数百ミリ秒で行うことが可能であり、呼出波の送信間隔を短くしてリアルタイムに監視することが望ましいが、基板ボックス８０を開放し、不正ＲＯＭに交換するような不正行為は、数秒で終了させるのは難しいことから、呼出波の送信間隔は大入賞口１６の場合ほど短くする必要がないと考えられる。このように、ＩＣタグの設置場所に応じて呼出波の送信間隔を変更することにより、内蔵されたバッテリーの消費電力を抑えて効率的に監視を行うことができる。図１２は、Ｒ／Ｗユニット５６のＥＥＰＲＯＭ３２内に設けられた呼出間隔記憶エリア３２ｂのデータ構造を示す模式図である。ここには、ＩＣタグごとに呼出波の送信間隔の設定情報が記憶される。後述のようにＨＴ４００を係員が操作すると、管理用ＩＣタグ２４を介してＲ／Ｗユニット５６に設定情報が送られ、記憶される。番号欄には１から順に番号が振られており、設定が行われる度に次の番号が振られて新しいデータが追加される。日付欄には設定が行われた日付が、時刻欄には設定が行われた時刻がセットされている。位置欄にはＩＣタグが設置されている場所を示すコードがセットされている。大入賞口１６を監視するためのＩＣタグ２６を示す場合には「１」、基板ボックスを監視するためのＩＣタグ２５を示す場合には「２」がセットされる。間隔欄には、位置欄で指定したＩＣタグに対して呼出波を何秒ごとに送信するかがセットされる。
【００５５】
例えば、図１２に示す例では、データ番号１のデータは２００２年９月１日の９：５５に作成されている。位置情報は「１」で、間隔は「０」なので、大入賞口１６のＩＣタグ２６に対しては後述する監視処理（数十ミリ秒で一巡する）が一巡するとすぐ次の呼出波の送信を行うように設定されている。また、データ番号２のデータは、データ１と同じく２００２年９月１日の９：５５に作成されている。位置情報は「２」で、間隔は「３」なので、基板ボックス８０のＩＣタグ２５に対しては後述する監視処理が一巡してから３秒後に次の呼出波の送信を行うよう設定されている。
【００５６】
次に、図１３及び図１４を参照して、監視履歴データのデータ構造について説明する。図１３は、Ｒ／Ｗユニット５６及びハンディターミナル４００で使用する監視履歴データの模式図である。Ｒ／Ｗユニット５６のＥＥＰＲＯＭ３２に内の監視履歴データ記憶エリア３２ｃに記憶される監視履歴データとハンディターミナル４００のフラッシュメモリ４１４（図１９参照）内の監視履歴データ記憶エリア４２２に記憶される監視履歴データとは同じ構造をしている。ここには、遊技機に設置されたＩＣタグに異常が発生した場合や異常が回復した場合の履歴情報が記憶されている。図１４は、島コンピュータ１００で使用する監視履歴データの模式図である。ここには、遊技機に設置されたＩＣタグに異常が発生した場合や異常が回復した場合の履歴情報が、遊技機毎に記憶されている。
【００５７】
まず、図１３を参照して、Ｒ／Ｗユニット５６の監視履歴データ記憶エリア３２ｃとハンディターミナル４００の監視履歴データ記憶エリア４２２に記憶される監視履歴データについて説明する。番号欄には１から順に番号が振られており、異常が発生したり、回復したりする度に次の番号が振られて新しいデータが追加される。日付欄には異常が発生又は回復した日付が、時刻欄には異常が発生又は回復した時刻がセットされている。異常情報欄は、位置欄、種別欄及び状態欄が設けられている。位置欄にはＩＣタグが設置されている場所を示すコードがセットされている。大入賞口１６を監視するためのＩＣタグ２６を示す場合には「１」、基板ボックス８０を監視するためのＩＣタグ２５を示す場合には「２」がセットされる。種別欄には異常の内容を示すコードがセットされている。時間内にＩＤデータが返送されてこなかった場合、即ち、アンテナとＩＣタグとが通信できる位置になく、大入賞口１６や基板ボックス８０が不正に開放されている場合には「１」、返送されてきたＩＤデータが正しいものでなかった場合、即ち、基板ボックス８０が取り替えられていたりした場合には「２」がセットされる。営業欄には、その異常が遊技場の営業時間外に発生した場合に「１」がセットされ、営業時間中に発生した場合には「０」がセットされている。復帰データ対応番号欄には、異常発生データである場合には、その異常が復帰した際に作成されたデータの番号がセットされ、異常回復データである場合には、その異常が発生した際に作成されたデータの番号がセットされている。
【００５８】
図１３に示す例では、データ番号１のデータは２００２年８月１日の１１：３８に作成されている。異常情報は「１１１」なので、大入賞口１６のＩＣタグ２６に対して、アンテナ３６が通信できない状態が発生したことを示している。営業欄には「０」がセットされているので、営業時間中に発生した異常であることがわかる。また、復帰データ対応番号欄に「２」がセットされているので、この異常はデータ番号２のデータが作成された時点で復帰されていることわかる。データ番号２のデータは２００２年８月１日の１１：３９に作成されている。異常情報は「１１２」なので、大入賞口１６のＩＣタグ２６に対して、アンテナ３６が通信できない状態が復帰したことを示している。営業欄には「０」がセットされているので、営業時間中に異常が復帰したことがわかる。また、復帰データ対応番号欄に「１」がセットされているので、この異常復帰はデータ番号１で発生した異常が復帰したことを示している。データ番号３のデータは２００２年８月２日２：２０に作成されている。異常情報は「２１１」なので、基板ボックス８０のＩＣタグ２５に対して、アンテナ３５が通信できない状態が発生したことを示している。営業欄には「１」がセットされているので、営業時間外に発生した異常であることがわかる。また、復帰データ対応番号欄には「６」がセットされているので、この異常はデータ番号６のデータが作成された時点で復帰されていることがわかる。データ番号４のデータは、２００２年８月２日２：２５に作成されている。異常情報は「２２１」なので、基板ボックス８０のＩＣタグ２５が不正な識別データを返送してきたことがわかる。営業欄は「１」がセットされているので、この異常は営業時間外に発生した異常であることがわかる。また、復帰データ対応番号欄には「５」がセットされているので、この異常はデータ番号５のデータが作成された時点で復帰されていることがわかる。データ番号５のデータは２００２年８月２日の９：５５に作成されている。異常情報は「２２２」なので、基板ボックス８０のＩＣタグ２５の識別データが正しいものに戻ったことを示している。営業欄には「０」がセットされているので、営業時間中に異常が復帰したことがわかる。また、復帰データ対応番号欄に「４」がセットされているので、この異常復帰はデータ番号４で発生した異常が復帰したことを示している。データ番号６のデータは２００２年８月２日の９：５５に作成されている。異常情報は「２１２」なので、基板ボックス８０のＩＣタグ２５に対してアンテナ３５が通信できない状態が復帰したことを示している。営業欄には「０」がセットされているので、営業時間中に異常が復帰したことがわかる。また、復帰データ対応番号欄に「３」がセットされているので、この異常復帰はデータ番号３で発生した異常が復帰したことを示している。
【００５９】
次に、図１４を参照して島コンピュータ１００の監視履歴データ記憶エリア１０４１に記憶される監視履歴データについて説明する。これは、図１３に示したＲ／Ｗユニット５６及びハンディターミナル４００に記憶される監視履歴データに台番号欄を付属させたものである。台番号は、パチンコ機１毎に割り当てられた番号であり、パチンコ機１ごとに監視履歴データが記憶されている。
【００６０】
図１４に示す例では、台番号１のパチンコ機１のデータ番号１のデータは２００２年８月１日の１１：３８に作成されている。異常情報は「１１１」なので、大入賞口１６のＩＣタグ２６に対して、アンテナ３６が通信できない状態が発生したことを示している。営業欄には「０」がセットされているので、営業時間中に発生した異常であることがわかる。また、復帰データ対応番号欄に「２」がセットされているので、この異常はデータ番号２のデータが作成された時点で復帰されていることわかる。データ番号２のデータは２００２年８月１日の１１：３９に作成されている。異常情報は「１１２」なので、大入賞口１６のＩＣタグ２６に対して、アンテナ３６が通信できない状態が復帰したことを示している。営業欄には「０」がセットされているので、営業時間中に異常が復帰したことがわかる。また、復帰データ対応番号欄に「１」がセットされているので、この異常復帰はデータ番号１で発生した異常が復帰したことを示している。データ番号３のデータは２００２年８月２日２：２０に作成されている。異常情報は「２１１」なので、基板ボックス８０のＩＣタグ２５に対して、アンテナ３５が通信できない状態が発生したことを示している。営業欄には「１」がセットされているので、営業時間外に発生した異常であることがわかる。また、復帰データ対応番号欄には「６」がセットされているので、この異常はデータ番号６のデータが作成された時点で復帰されていることがわかる。台番号２のパチンコ機１のデータ番号１のデータは２００２年８月２日２：２１に作成されている。異常情報は「２１１」なので、基板ボックス８０のＩＣタグ２５に対して、アンテナ３５が通信できない状態が発生したことを示している。営業欄には「１」がセットされているので、営業時間外に発生した異常であることがわかる。また、復帰データ対応番号欄には「４」がセットされているので、この異常はデータ番号４のデータが作成された時点で復帰されていることがわかる。データ番号２のデータは、２００２年８月２日２：２７に作成されている。異常情報は「２２１」なので、基板ボックス８０のＩＣタグ２５が不正な識別データを返送してきたことがわかる。営業欄は「１」がセットされているので、この異常は営業時間外に発生した異常であることがわかる。また、復帰データ対応番号欄には「３」がセットされているので、この異常はデータ番号３のデータが作成された時点で復帰されていることがわかる。データ番号３のデータは２００２年８月２日の９：５７に作成されている。異常情報は「２２２」なので、基板ボックス８０のＩＣタグ２５の識別データが正しいものに戻ったことを示している。営業欄には「０」がセットされているので、営業時間中に異常が復帰したことがわかる。また、復帰データ対応番号欄に「２」がセットされているので、この異常復帰はデータ番号２で発生した異常が復帰したことを示している。
【００６１】
次に、図１５乃至図１７のフローチャートを用いてＲ／Ｗユニット５６及び島コンピュータ１００の動作について説明する。図１５は、Ｒ／Ｗユニット５６で行われるＩＣタグ監視メイン処理のフローチャートである。図１６は、Ｒ／Ｗユニット５６で行われるＩＣタグ監視処理のフローチャートである。図１７は、島コンピュータ１００がパチンコ機１から監視履歴データを受信し、報知する島コンピュータ処理のフローチャートである。
【００６２】
まず、図１５及び図１６を参照してＲ／Ｗユニット５６がＩＣタグ２５及び２６を監視する監視処理を説明する。本実施の形態では監視されるＩＣタグは、基板ボックス８０に備えられたもの（ＩＣタグ２５）と大入賞口１６に備えられたもの（ＩＣタグ２６）との２つがあり、Ｒ／Ｗユニット５６がアンテナ３５及び３６を介して夫々のＩＣタグにポーリングをかけ、所定時間内に正しい識別データが返信されてくることにより、基板ボックス８０及び大入賞口１６が正常な状態であることを確認する。このようなＩＣタグ監視処理を行うか否かは、後述するように、ＨＴ４００を係員が操作して、管理用ＩＣタグ２４を介して設定し、Ｒ／Ｗユニット５６の監視ＯＮ／ＯＦＦ設定記憶エリア３２ａに記憶され、処理の際にこの設定値を読み込むことにより決定される。製造時の初期値はどちらのＩＣタグへの呼出波の送信もＯＦＦに設定されており、出荷時に基板ボックス８０のＩＣタグ２５への呼出波の送信のみをＯＮに設定するようにしている。また、各ＩＣタグに呼出波を送信する間隔も、ＨＴ４００を係員が操作して、管理用ＩＣタグ２４を介して設定し、Ｒ／Ｗユニット５６の呼出間隔設定記憶エリア３２ｂに記憶され、処理の際にこの設定値を読み込むことにより決定される。初期状態では、大入賞口１６のＩＣタグ２６への呼出波の送信間隔は０秒に、基板ボックス８０のＩＣタグ２５への呼出波の送信間隔は３秒に設定されている。
【００６３】
まず、Ｒ／Ｗユニット５６の電源が投入されると、ＩＣタグ２５及びＩＣタグ２６各々への初回の呼出波の送信時刻をセットする（Ｓ１）。これは、例えば現在時刻をセットすればよい。次に、パチンコ機１から営業開始を通知してきたかどうかを判断する（Ｓ２）。営業開始通知があれば（Ｓ２：ＹＥＳ）、営業フラグをＯＮにする（Ｓ２１）。営業開始通知がなければ（Ｓ２：ＮＯ）、営業終了が通知されたかどうかを判断する（Ｓ３）。営業終了通知があれば（Ｓ３：ＹＥＳ）、営業フラグをＯＮにする（Ｓ２３）。営業終了がなければ（Ｓ２：ＮＯ）、パチンコ機１が大当たり状態であるか否かを確認する（Ｓ４）。
【００６４】
ここでパチンコ機１が大当たり状態であるか否かを調べるのは、パチンコ機１が大当たり状態である場合には大入賞口１６の開閉扉１６ａは開いていても異常ではないためである。もしＩＣタグ２６に対してポーリングを行い、返信がなくとも正常な状態であるから、そもそもポーリングを行う必要はないと考えられる。大当たり状態でないときには（Ｓ３：ＮＯ）、さらに、大入賞口１６に備えられたＩＣタグ２６への呼出波の送信を行うように設定されているか否かを確認する（Ｓ５）。これは、監視ＯＮ／ＯＦＦ設定記憶エリア３２ａのデータをデータ番号の大きい順に参照し、位置情報が「１」のＯＮ／ＯＦＦ欄に記憶されている数値を読み込んで行う。ＯＮ／ＯＦＦ欄が「０」にセットされていれば（Ｓ５：ＮＯ）、呼出波の送信が不要とされているので処理は行わず、Ｓ１３に進む。ＯＮ／ＯＦＦ欄が「１」にセットされていれば（Ｓ５：ＹＥＳ）、呼出波の送信を行うよう設定されているから、現在の時刻が呼出波の送信時刻に達しているかどうかを判断する（Ｓ７）。現在の時刻が呼出波の送信時刻に達していなければ（Ｓ７：ＮＯ）、まだ呼出波の送信をする必要はないので処理は行わず、現在の時刻が呼出波の送信時刻に達していれば（Ｓ７：ＹＥＳ）、大入賞口１６に備えられたＩＣタグ２６の監視処理を行う（Ｓ９、図１６参照）。１巡目の処理では、呼出波の送信時刻は、処理を開始した時にセットされた時刻であるから、既に送信時刻に達しているので、ＩＣタグ２６の監視処理を行うことになる。ここで、大入賞口１６に備えられたＩＣタグ２６を位置「１」のＩＣタグとして、ＩＣタグ監視処理（図１６参照）に位置情報を引き渡す。この位置情報は、図１３及び図１４で説明した監視履歴データ記憶エリアの異常情報欄の位置欄にセットされる値である。次いで、次回呼出波を送信する時刻をセットする（Ｓ１１）。次回送信時刻は、現在セットされている呼出波送信時刻に、呼出間隔設定記憶エリア３２ｂに記憶されている送信間隔の値を加算した時刻をセットする。これは、呼出間隔設定記憶エリア３２ｂのデータをデータ番号の大きい順に参照し、位置情報が「１」の間隔欄に記憶されている数値を読み込んで行う。例えば、この数値が図１２のデータ番号１に示すように「０」であるなら、Ｓ１でセットされている初回の呼出波送信時刻がそのままセットされることになる。
【００６５】
次いで、基板ボックス８０に備えられたＩＣタグ２５のへの呼出波の送信が行うように設定されているか否かを確認する（Ｓ１３）。これは、監視ＯＮ／ＯＦＦ設定記憶エリア３２ａのデータをデータ番号の大きい順に参照し、位置情報が「２」のＯＮ／ＯＦＦ欄に記憶されている数値を読み込んで行う。ＯＮ／ＯＦＦ欄が「０」にセットされていれば（Ｓ１３：ＮＯ）、呼出波の送信が不要とされているので処理は行わず、ＯＮ／ＯＦＦ欄が「１」にセットされていれば（Ｓ１３：ＹＥＳ）、呼出波の送信を行うよう設定されているから、現在の時刻が呼出波の送信時刻に達しているかどうかを判断する（Ｓ１５）。現在の時刻が呼出波の送信時刻に達していなければ（Ｓ１５：ＮＯ）、まだ呼出波の送信をする必要はないので処理は行わず、現在の時刻が呼出波の送信時刻に達していれば（Ｓ１５：ＹＥＳ）、基板ボックス８０に備えられたＩＣタグ２５の監視処理を行う（Ｓ１７、図１６参照）。１巡目の処理では、呼出波の送信時刻は、処理を開始した時にセットされた時刻であるから、既に送信時刻に達しているので、ＩＣタグ２５の監視処理を行うことになる。ここで、基板ボックス８０に備えられたＩＣタグ２５を位置「２」のＩＣタグとして、ＩＣタグ監視処理に位置情報を引き渡す。この位置情報は、図１３及び図１４で説明した監視履歴データ記憶エリアの異常情報欄の位置欄にセットされる値である。次いで、次回呼出波を送信する時刻をセットする（Ｓ１９）。次回送信時刻は、現在セットされている呼出波送信時刻に、呼出間隔設定記憶エリア３２ｂに記憶されている送信間隔の値を加算した時刻をセットする。これは、呼出間隔設定記憶エリア３２ｂのデータをデータ番号の大きい順に参照し、位置情報が「２」の間隔欄に記憶されている数値を読み込んで行う。例えば、この数値が図１２のデータ番号２に示すように「３」であるなら、Ｓ１でセットされている初回の呼出波送信時刻に３秒加えた時刻がセットされることになる。
【００６６】
次に、ＩＣタグ２５及び２６に対して行われる監視処理を図１６のフローチャートを用いて説明する。まず、Ｒ／Ｗユニット５６はＩＣタグに対してアンテナを介してポーリングを行う（Ｓ６１）。ここで、位置が「１」である場合にはアンテナ３６を介してＩＣタグ２６を、位置が「２」である場合にはアンテナ３５を介してＩＣタグ２５をポーリングする。次いで、予め設定された時間内に応答があるか否かを確認する（Ｓ６２）。ここで、応答がない場合には（Ｓ６２：ＮＯ）、ＩＣタグがアンテナと通信不可能な位置にあることを意味する。即ち、基板ボックス８０又は大入賞口１６が不正に開けられている可能性がある。そこで、まず消失フラグが「ＯＮ」であるか否かを確認する（Ｓ６６）。消失フラグが「ＯＮ」であれば（Ｓ６６：ＹＥＳ）、すでに前回の監視処理で消失を検知し、記憶しているのでなにもせずに処理を終了する。消失フラグが「ＯＮ」でなければ（Ｓ６６：ＮＯ）、今回の監視処理で初めて消失を検知したので、消失フラグを「ＯＮ」にセットし（Ｓ６７）、Ｒ／Ｗユニット５６の監視履歴データ記憶エリア３２ｃへ監視履歴データを追加する（Ｓ６８）。日付欄には本日の日付をセットし、時刻欄には現在時刻をセットし、異常情報欄の位置欄には、本監視処理を行う際にメイン監視処理から渡された位置情報「１」又は「２」をセットし、種別欄にはＩＣタグと通信できないことを示す「１」をセットし、状態欄には異常が発生したことを示す「１」をセットする。また、営業フラグに「ＯＮ」がセットされている場合には、営業欄に「０」をセットする。復帰データ対応番号欄には、異常が復帰した際に復帰データのデータ番号をセットするので、異常発生時には何もセットしない。そして、Ｓ７８へ進み、営業フラグが「ＯＮ」であれば（Ｓ７８：ＹＥＳ）、島コンピュータ１００へ異常情報を送信して（Ｓ７９）、処理を終了する。
【００６７】
次に、アンテナからのポーリングに対して時間内に応答があった場合に（Ｓ６２：ＹＥＳ）、識別データが正しいものであるか否かを確認して（Ｓ６３）、正しいものでなかった場合について説明する（Ｓ６３：ＮＯ）。これは、ＩＣタグがアンテナと通信可能な位置にあるが、通信しているＩＣタグが正規のものでないことを意味している。まず、ＩＤフラグが「ＯＮ」であるか否かを確認する（Ｓ６９）。ＩＤフラグが「ＯＮ」であれば（Ｓ６９：ＹＥＳ）、すでに前回の監視処理で識別データ異常を検知し、記憶しているので、なにもせずに処理を終了する。ＩＤフラグが「ＯＮ」でなければ（Ｓ６９：ＮＯ）、今回の監視処理で初めて識別データ異常を検知したので、ＩＤフラグを「ＯＮ」にセットし（Ｓ７０）、Ｒ／Ｗユニット５６の監視履歴データ記憶エリア３２ｃへ監視履歴データを追加する（Ｓ７１）。日付欄には本日の日付をセットし、時刻欄には現在時刻をセットし、異常情報欄の位置欄には、本監視処理を行う際にメイン監視処理から渡された位置情報「１」又は「２」をセットし、種別欄には識別データが誤っていることを示す「２」をセットし、状態欄には異常が発生したことを示す「１」をセットする。また、営業フラグに「ＯＮ」がセットされている場合には、営業欄に「０」をセットする。復帰データ対応番号欄には、異常が復帰した際に復帰データのデータ番号をセットするので、異常発生時には何もセットしない。そして、Ｓ７８へ進み、営業フラグが「ＯＮ」であれば（Ｓ７８：ＹＥＳ）、島コンピュータ１００へ異常情報を送信して（Ｓ７９）、処理を終了する。
【００６８】
次に、アンテナからのポーリングに対して時間内に応答があり（Ｓ６２：ＹＥＳ）、さらに識別データも正しいものであった場合について説明する（Ｓ６３：ＹＥＳ）。これは、ポーリングをかけたＩＣタグが正常な状態であったことを意味している。そこで、前回の監視処理において異常が発生していたかをＩＤフラグ及び消失フラグにより確認し、異常が発生していた場合には、復帰したことを監視履歴データに記憶する。まず、ＩＤフラグが「ＯＮ」であった場合には（Ｓ６４：ＹＥＳ）、ＩＤフラグを「ＯＦＦ」にセットし（Ｓ７２）、Ｒ／Ｗユニット５６の監視履歴データ記憶エリア３２ｃへ監視履歴データを追加する（Ｓ７３）。日付欄には本日の日付をセットし、時刻欄には現在時刻をセットし、異常情報欄の位置欄には、本監視処理を行う際にメイン監視処理から渡された位置情報「１」又は「２」をセットし、種別欄には識別データが誤っていることを示す「２」をセットし、状態欄には異常が復帰したことを示す「２」をセットする。また、営業フラグに「ＯＮ」がセットされている場合には、営業欄に「０」をセットする。そして、監視履歴データのデータをデータ番号の大きい順に参照し、識別データ異常の発生データを取得し、発生データの復帰データ対応番号欄に復帰データのデータ番号をセットして、復帰データの復帰データ対応番号欄には発生データのデータ番号をセットする（Ｓ７４）。そして、営業フラグが「ＯＮ」であれば（Ｓ８０：ＹＥＳ）、島コンピュータ１００へ異常情報を送信する（Ｓ８１）。
【００６９】
次いで、消失フラグが「ＯＮ」であるかを確認する（Ｓ６５）。消失フラグが「ＯＮ」であった場合には（Ｓ６５：ＹＥＳ）、消失フラグを「ＯＦＦ」にセットし（Ｓ７５）、Ｒ／Ｗユニット５６の監視履歴データ記憶エリア３２ｃへ監視履歴データを追加する（Ｓ７６）。日付欄には本日の日付をセットし、時刻欄には現在時刻をセットし、異常情報欄の位置欄には、本監視処理を行う際にメイン監視処理から渡された位置情報「１」又は「２」をセットし、種別欄には識別データが誤っていることを示す「２」をセットし、状態欄には異常が復帰したことを示す「２」をセットする。また、営業フラグに「ＯＮ」がセットされている場合には、営業欄に「０」をセットする。そして、監視履歴データをデータ番号の大きい順に参照し、識別データ異常の発生データを取得し、発生データの復帰データ対応番号欄に復帰データのデータ番号をセットして、復帰データの復帰データ対応番号欄には発生データのデータ番号をセットする（Ｓ７７）。そして、営業フラグが「ＯＮ」であれば（Ｓ７８：ＹＥＳ）、島コンピュータ１００へ異常情報を送信して（Ｓ７９）、処理を終了する。
【００７０】
次いで、図１７を参照して島コンピュータ１００の処理について説明する。島コンピュータ１００は、営業開始時に夜間、すなわち前回の営業終了時から営業開始時までの監視履歴データを島コンピュータ１００が設置されている遊技機設置島５００のすべてのパチンコ機１から収集し、その後異常発生の都度パチンコ機１から送信されてくる監視履歴データを受信して、表示器及１０７及び警告ランプ１０８で報知する。まず、パチンコ機カウンタｍに初期値の「０」をセットする（Ｓ８１）。次いで、パチンコ機カウンタｍの値が遊技機設置島５００の全パチンコ機数よりも大きいか否かにより、遊技機設置島５００の全パチンコ機から監視履歴データを受信したか否かを確認する（Ｓ８２）。ｍの値が全パチンコ機数よりも大きくない場合には（Ｓ８２：ＮＯ）、監視履歴データを受信するまで、監視履歴データの受信を確認する（Ｓ８３：ＮＯ、Ｓ８３）。監視履歴データを受信したら（Ｓ８３：ＹＥＳ）、監視履歴データ記憶エリア１０４２へ受信した監視履歴データを記憶する（Ｓ８４）。送信されてきた監視履歴データが「データなし」であれば、なにも記憶しない。次いで、パチンコ機カウンタｍに「１」を足し（Ｓ８５）、Ｓ８２へ戻る。
【００７１】
遊技機設置島５００の全てのパチンコ機１の監視履歴データを受信し、ｍの値が全パチンコ機数よりも大きくなったら（Ｓ８２：ＹＥＳ）、パチンコ機カウンタｍの値を「０」に初期化し（Ｓ８６）、表示器１０７に監視履歴データを表示する（Ｓ８７）。ここで、前回の営業終了時から営業開始時までの間にいずれのパチンコ機１にも異常が発生していなかった場合には、「全パチンコ機異常なし」の表示がされ、いずれかのパチンコ機１に異常が発生していた場合には、報知が行われる（図９参照）。次いで、営業時間中の監視処理に入る。ここでは、パチンコ機１に異常が発生すると直ちに監視履歴データが送信されてくる。また、営業終了時には、ホールコンピュータ３００から営業終了指示電文を受信したパチンコ機が終了指示電文を送信してくるので、全パチンコ機１から終了指示電文を受信したら、処理を終了する。まず、パチンコ機カウンタｍの値が全パチンコ機数よりも大きいか否かで、全パチンコ機からの終了指示電文を受信したかを確認する（Ｓ８８）。全パチンコ機から終了指示を受けていない場合には（Ｓ８８：ＮＯ）、終了指示電文を受信したかを確認する（Ｓ８９）。終了指示電文を受信していない場合には（Ｓ８９：ＮＯ）、監視履歴データ受信であるか否かを確認する（Ｓ９０）。監視履歴データ受信である場合には（Ｓ９０：ＹＥＳ）、監視履歴データ記憶エリア３２２へ受信した監視履歴データを記憶し（Ｓ９４）、表示器１０７にエラー表示をし、警告ランプ１０８を点灯させて異常発生を報知する（Ｓ９５）。そして、Ｓ８８へ戻る。また、監視履歴データ受信でない場合には（Ｓ９０：ＮＯ）、クリアボタン１１０が押下されたか否かを確認する（Ｓ９１）。押下された場合には（Ｓ９１：ＹＥＳ）、表示器１０７のエラー表示を消し、警告ランプ１０８を消灯させて（Ｓ９２）、Ｓ８８へ戻る。
【００７２】
また、終了指示電文受信であった場合には（Ｓ８９：ＹＥＳ）、パチンコ機カウンタｍに「１」を足し（Ｓ９３）、Ｓ８８へ戻る。Ｓ８８にてパチンコ機カウンタｍの値が全パチンコ機数よりも大きくなった場合には（Ｓ８８：ＹＥＳ）、全てのパチンコ機から終了指示電文を受信したことになるので、本処理を終了する。
【００７３】
次に、パチンコ機１のガラス枠１３の内側の開閉軸側上部に備えられた管理用ＩＣタグ２４（図２参照）と通信し、Ｒ／Ｗユニット５６に記憶されている監視履歴データを取得し、また、監視処理のＯＮ／ＯＦＦ、呼出波の送信間隔の設定を行うＨＴ４００について、図１８乃至図２３を用いて説明する。図１８は、ＨＴ４００の斜視図である。図１９は、ＨＴ４００の電気的構成のブロック図である。図２０は、ＨＴ４００の表示パネル４０３に表示されるメインメニュー画面のイメージ図である。図２１は、監視処理のＯＮ／ＯＦＦ設定画面のイメージ図である。図２２は、呼出間隔設定画面のイメージ図である。図２３は、監視履歴表示画面のイメージ図である。
【００７４】
まず、図１８を参照してＨＴ４００の形状を説明する。図１８に示すように、ＨＴ４００は、周知の携帯型情報端末であるＰＤＡ（Ｐｅｒｓｏｎａｌ　Ｄｉｇｉｔａｌ　Ａｓｓｉｓｔａｎｔｓ）を利用したものであり、上部にＳＤメモリカード（Ｓｅｃｕｒｅ　Ｄｉｇｉｔａｌ　ＭｅｍｏｒｙＣａｒｄ）やＭＭＣ（Ｍｕｌｔｉ　Ｍｅｄｉａ　Ｃａｒｄ）等のメモリーカード、あるいは小型フラッシュメモリーカード型やＰＣカード型のＰＨＳアダプタ等を挿入するためのカードスロットを備え、カードスロットには、アンテナ４０２とＲＦ回路４１０を備えた読取ユニット４０１が挿入されている。読取ユニット４０１は、アンテナ４０２を管理用ＩＣタグ２４に適切な角度で向けられるように、回転軸４１４を中心に例えば９０度等の所定の範囲で屈折可能な構成となっている。また、ＨＴ４００の正面にはメニューや受信した監視履歴データ等を表示する表示パネル４０３、表示パネル４０３に表示されるカーソルや表示内容を上下左右に移動させるための方向キー４０５、表示パネル４０３の画面を操作するためのメニューキー４０４を備えている。さらに、ＨＴ４００の側面には赤外線通信用の赤外線通信ポート（図示せず）が、底面には入出力回路４０７（図示せず）からクレードル等を介してパーソナルコンピュータ等の外部機器に接続するためのコネクタ（図示せず）が設けられている。
【００７５】
次に、図１９を参照してＨＴ４００の電気的構成を説明する。図１９に示すように、ＨＴ４００には、ＨＴ４００の制御を司るＣＰＵ４１１が設けられ、ＣＰＵ４１１には、各種のデータを一時的に記憶するＲＡＭ４１３と、ＣＰＵ４１１で実行される制御プログラム等を記憶したＲＯＭ４１２と、不揮発性メモリの一種であり監視履歴データを記憶する監視履歴データ記憶エリア４２２を備えたフラッシュメモリ４１４と、データの受け渡しの仲介を行うＩ／Ｏインターフェース４０９とが接続されている。読取ユニット４０１には、管理用ＩＣタグ２４と通信するアンテナ４０２と、送信回路及び受信回路であるＲＦ回路４１０を備えており、アンテナ４０２はＲＦ回路４１０に接続し、ＲＦ回路４１０はＩ／Ｏインターフェース４０９に接続している。また、表示パネル４０３と、外部装置とデータのやり取りを行う入出力回路４０７、赤外線通信回路４０８と、入力キー４０４及び４０５と、管理用ＩＣタグ２４と通信するための読取ユニット４０１とがＩ／Ｏインターフェース４０９に接続している。
【００７６】
次に、図２０を参照して、ＨＴ４００の表示パネル４０３に表示されるメインメニュー画面について説明する。これは、ＨＴ４００を起動させ、パチンコ機監視メニューを選択した際に表示されるメインメニュー画面であり、「取得」ボタン、「監視処理ＯＮ／ＯＦＦ設定」ボタン、「呼出間隔設定」ボタン、「監視履歴表示」ボタン、「各種設定」ボタン、「終了」ボタンが表示されており、画面に触れる、又は方向キー４０５により選択してメニューキー４０４により決定することによりいずれかのボタンを選択することができる。
【００７７】
読取ユニット４０１のアンテナ４０２をパチンコ機１の管理用ＩＣタグ２４に近づけ、「取得」ボタンを選択すると、ＨＴ４００は管理用ＩＣタグ２４にポーリングをかけ、監視履歴データの取得要求をする。この取得要求を受けて、パチンコ機１の管理用ＩＣタグ２４はＲ／Ｗユニット５６から監視履歴データを取得し、自身の識別データと共にアンテナ４０２へ返送する。ＨＴ４００では、所定時間内に遊技機情報及び識別データが返送されてくるかを確認し、返送されてこない場合には「管理用ＩＣタグを読み取ることができません！！」のエラー文言を表示パネル４０３に表示する。ただし、通信障害により、管理用ＩＣタグ２４がＨＴ４００からのポーリングを認識できなかったり、ＨＴ４００が管理用ＩＣタグ２４から返送された情報を認識できなかったりしている場合もあるので、このエラー文言が表示されたときには、再取得を試みる必要がある。さらに、返送されてきた識別データを確認し、その識別データが登録されていない場合には「この管理用ＩＣタグは登録されていません！！」のエラー文言を表示パネル４０３に表示する。識別データが登録されているものの内の一つと合致した場合には、受信した監視履歴データをフラッシュメモリ４１４の監視履歴データ記憶エリア４２２に記憶する。
【００７８】
また、「監視処理ＯＮ／ＯＦＦ設定」ボタンを選択すると、各ＩＣタグへの呼出波の送信を行うか否かを設定する監視処理ＯＮ／ＯＦＦ設定画面に（図２１参照）、「呼出間隔設定」ボタンを選択すると、各ＩＣタグへの呼出波の送信間隔を設定する呼出間隔設定画面に（図２２参照）、また、「監視履歴表示」ボタンを選択すると、監視履歴データ記憶エリア４２２に記憶されている監視履歴データを表示する監視履歴表示画面（図２３参照）に画面が移行する。また、「各種設定」ボタンを選択すると、本ＨＴ４００のＩＤ番号登録や、利用者ＩＤ及びパスワード設定、各管理用ＩＣタグのＩＤ変更などの各種設定を行う画面に移行する。「終了」ボタンを選択すると、メインメニュー画面が終了する。
【００７９】
次に、図２１を参照して監視処理ＯＮ／ＯＦＦ設定画面について説明する。図２１に示すように、大入賞口１６と基板ボックス８０のそれぞれに設置したＩＣタグに対して呼出波の送信を行うか否か、すなわち、監視処理を行うか否かを設定できるようになっている。図２１に示す例では、それぞれについて「ＯＮ」と「ＯＦＦ」のボタンが用意され、設定されている方のボタンがハイライトされて表示されている。この「ＯＮ」又は「ＯＦＦ」のいずれかを画面上で触れて選択すると、そのボタンがハイライトされる。そして、読取ユニット４０１のアンテナ４０２をパチンコ機１の管理用ＩＣタグ２４に近づけ、「設定送信」ボタンを選択すると、ＨＴ４００は管理用ＩＣタグ２４に設定内容を送信し、管理用ＩＣタグ２４はＲ／Ｗユニット５６にさらに設定内容を送信して、Ｒ／Ｗユニット５６の監視処理ＯＮ／ＯＦＦ設定記憶エリア５６ａに記憶する。そして、ここで記憶された設定内容を、前述したＩＣタグ監視メイン処理の中で読み込んで使用する（図１５、Ｓ５及びＳ１３参照）。
【００８０】
次に、図２２を参照して呼出間隔設定画面について説明する。図２２に示すように、大入賞口１６と基板ボックス８０のそれぞれに設置したＩＣタグに対して送信する呼出波の送信間隔を設定できるようになっている。図２２に示す例では、それぞれについて秒単位で間隔を設定できるようになっている。そして、読取ユニット４０１のアンテナ４０２をパチンコ機１の管理用ＩＣタグ２４に近づけ、「設定送信」ボタンを選択すると、ＨＴ４００は管理用ＩＣタグ２４に設定内容を送信し、管理用ＩＣタグ２４はＲ／Ｗユニット５６にさらに設定内容を送信して、Ｒ／Ｗユニット５６の呼出間隔記憶エリア５６ｂに記憶する。そして、ここで記憶された設定内容を、前述したＩＣタグ監視メイン処理の中で読み込んで使用する（図１５、Ｓ１１及びＳ１９参照）。
【００８１】
次に、図２３を参照して監視履歴表示画面について説明する。図２３に示すように、１行目には台番号、２行目にはデータ取得日時が表示されており、３行目から９行目の７行に渡り監視履歴データが表示されている。監視履歴データの下部には上ボタンが及び下ボタンが設けられ、監視履歴データの行送りができるようになっている。また、画面下部には「戻る」ボタンが設けられ、このボタンを選択すると図２０のメインメニューに戻る。図２３に示す例では、１番台の２００２年８月８日の１８：０３現在の監視履歴データが表示されており、監視履歴データの１行目には２００２年８月１日の１１：３８に大入賞口１６が不正に開かれた異常が発生したことを示す「入賞口開異常」が表示されており、２行目には２００２年８月１日の１１：３９に大入賞口１６が不正に開かれた異常が復帰したことを示す「入賞口開復帰」が表示されており、３行目には２００２年８月２日の２：２０に基板ボックス８０が開かれたことを示す「基板開異常」が表示されており、４行目には２００２年８月２日の２：２５に基板ボックス８０のＩＣタグの識別データが正しいものでないことを示す「基板ＩＤ異常」が表示されており、５行目には２００２年８月２日の９：５５に基板ボックス８０のＩＣタグの識別データが正しいものになったことを示す「基板ＩＤ復帰」が表示されており、６行目には２００２年８月２日の９：５５に基板ボックス８０が開かれた異常が復帰したことを示す「基板開復帰」が表示されており、７行目には２００２年８月５日の１７：３８に大入賞口１６が不正に開かれた異常が発生したことを示す「入賞口開異常」が表示されている。
【００８２】
以上説明したように、上記の実施の形態の遊技機管理システムでは、パチンコ機１は、基板ボックス８０及び大入賞口１６にそれぞれＩＣタグ２６及び２５を設置し、Ｒ／Ｗユニット５６がアンテナ３６及び３５を介して通信して識別データを取得することにより、基板ボックス８０及び大入賞口１６を監視し、監視履歴データを記憶している。この監視処理は、ＩＣタグ毎に監視処理を行うか否かを、また、識別データの取得のための呼出波の送信を行う間隔を自由に設定して行うことができる。このような設定は、パチンコ機１の前面側に設置された管理用ＩＣタグを介することにより、ＨＴ４００から個々のパチンコ機１に対して行うことができる。このような設定に基づいて行われ、Ｒ／Ｗユニット５６に記憶された監視履歴データは、営業開始時にまとめて、また、営業時間中にＩＣタグに異常が発生する都度、そのパチンコ機１が設置されている遊技機設置島に設置された島コンピュータ１００へ無線ネットワークを介して送信され、島コンピュータ１００は近くの遊技場係員に警告ランプ１０８や表示器１０７への表示により報知する。さらに、パチンコ機１には管理用ＩＣタグ２４が備えられており、ＨＴ４００は、アンテナ４０２を介して管理用ＩＣタグと通信し、Ｒ／Ｗユニット５６に記憶されている監視履歴データを取得することができる。
【００８３】
さらに、島コンピュータ１００からホールコンピュータ３００に監視履歴データを送信するようにすれば、ホールコンピュータ３００では、従来の遊技情報の管理だけでなく、不正が行われやすい大入賞口１６や基板ボックス８０の監視を一括で行うことができる。また、遊技機設置島５００毎に島コンピュータ１００が設置されており、島コンピュータ１００は遊技機設置島５００に設置された各パチンコ機１に付属したＲ／Ｗユニット５６から監視履歴データを受信しているので、遊技場の営業スペースに配置された係員が、通常業務を行いながら異常の発生を知ることができる。さらに、遊技場の係員は、ＨＴ４００を用いてパチンコ機１の監視履歴データを閲覧することができるため、パチンコ機１の面前でそのパチンコ機１の監視履歴データを随時確認することができる。
【００８４】
尚、本発明は、以上詳述した実施の形態に限定されるものではなく、種々の変更が可能である。以下に、本発明を適用する実施の形態の変形例について説明する。まず、本実施形態では遊技機としてパチンコ機を例に挙げているが、遊技機はパチンコ機に限られず、パチコン機、パチスロ台等の各種の遊技機に適用可能である。
【００８５】
また、監視ＯＮ／ＯＦＦ設定や呼出間隔設定はＨＴ４００から管理用ＩＣタグ２４を介して行っているが、設定の方法はこれにかぎらず、例えば、Ｒ／Ｗユニット５６上にジャンパスイッチ等のスイッチを設け、監視ＯＮ／ＯＦＦの設定を行うようにしたり、島コンピュータ１００やホールコンピュータ３００から監視ＯＮ／ＯＦＦ設定や呼出間隔設定を行い、各パチンコ機１のＲ／Ｗユニット５６に送信するように構成してもよい。
【００８６】
尚、上記実施形態では、監視ＯＮ／ＯＦＦ設定記憶エリア３２ａや呼出間隔記憶エリア３２ｂのデータ構造は、日付欄や時刻欄を含んでいるが、現状の設定を読み込むことができればよいので、これらを含まない構造であってもよい。
【００８７】
また、上記実施の形態では、ＨＴ４００から行う呼出波の送信間隔の設定は、秒単位で行うようにしているが、秒単位に限らず、数百ミリ秒や数十ミリ秒等、もっと細かい単位で設定できるようにしてもよい。
【００８８】
また、上記実施の形態では、管理用ＩＣタグ２４は、監視履歴データを記憶しておらず、ＨＴ４００から情報取得指示があった場合には、Ｒ／Ｗユニット５６に記憶されている情報を送信しているが、管理用ＩＣタグ２４自身に監視履歴データを記憶させるように構成してもよい。また、Ｒ／Ｗユニット５６は、島コンピュータ１００へ監視履歴データを送信しているが、島コンピュータ１００へだけでなく、ホールコンピュータ３００へも直接送信するようにしてもよい。
【００８９】
また、パチンコ機１やＲ／Ｗユニット５６と島コンピュータ１００、パチンコ機１やＲ／Ｗユニット５６とホールコンピュータ３００の通信は電波により無線で行われているが、これは電波に限られず赤外線等や有線を用いても良い。
【００９０】
また、上記実施の形態の遊技機管理システムでは、ＨＴ４００で取得した監視履歴データは、遊技場係員がＨＴ４００の表示パネル４０３で閲覧するにとどまっているが、入出力回路４０７や赤外線通信回路４０８を用いて島コンピュータ１００やホールコンピュータ３００に接続し、これらの情報を出力し、島コンピュータ１００やホールコンピュータ３００で活用するようにしてもよい。また、プリンタに接続して遊技機情報を印刷してもよい。
【００９１】
また、上記実施の形態では、ＨＴ４００はＰＤＡを用いているが、これはＰＤＡに限らず、管理用ＩＣタグ２４と通信可能なＲＦ回４１０路及びアンテナ４０２を備えていればよい。さらには、必ずしも表示パネル４０３を備えている必要も無く、例えば、表示パネル４０３を備えておらず、操作ボタンのみを備えたＨＴ４００ａがあり、ＨＴ４００ａがアンテナ４０２を介して、管理用ＩＣタグ２４へ監視履歴データ表示要求をすると、管理用ＩＣタグは、Ｒ／Ｗユニット５６へその要求を伝えることにより、Ｒ／Ｗユニット５６がこれをパチンコ機１に送信して、パチンコ機１の特別図柄表示装置８等へ表示するようにしてもよい。さらに、このＨＴ４００ａは必ずしも携帯型である必要は無く、パチンコ機１の上皿５や下皿６等パチンコ機１の前面で、係員が簡単に操作できる場所に備えられていてもよい。また、その場合には、管理用ＩＣタグ２４とアンテナ４０２は通信可能な位置に配置される。
【００９２】
また、上記実施の形態では、基板ボックス８０及び大入賞口１６に監視用のＩＣタグを設置したが、監視する場所はこれに限らず、ガラス枠１３、他の入賞口や普通図柄始動ゲート１１及び１２、木枠に対してパチンコ機１本体やセンターカバー、各種基板に設置して、その開閉状態を監視してもよい。尚、ガラス枠１３や木枠には施錠装置が備えられている。そこで、パチンコ機に設けられた錠にアンテナを配置し、鍵にＩＣタグを設置して、遊技場係員が鍵を用いてガラス枠１３を開閉した情報を記録し、不正にガラス枠１３や木枠が開閉されたことと区別できるようにしてもよい。
【００９３】
また、島コンピュータ１００およびホールコンピュータ３００は、専用機である必要はなく、図９及び図１０に示した構成を有する、ＩＣ等の簡易的なコンピュータでもよい。
【００９４】
【発明の効果】
上記説明から明らかなように、請求項１に記載の監視システムによれば、送信回路がアンテナを介して呼出波を送信してＩＣタグを呼び出すと、ＩＣタグは識別データを含む反射波を返すので、この通信が可能であるか否か、識別データが真正であるか否かにより正常か異常かを判定することができる。識別データを含む無線通信によるため、光や電気等に比べて改竄やいわゆる「なりすまし」が難しい。従って、常にはＩＣタグをアンテナから通信可能な位置に設置しておくと、ＩＣタグを固着した部材が通信可能な範囲外へ移動する等した場合には、反射波が受信できなくなり、通信不能となる。また、通信不能状態から、通信可能範囲内の位置へ再び復帰すると反射波が受信できるようになる。このため、目視によらず部材の開放や移動等装置の状態の変化を検知することができる。このような通信不能と復帰を記憶させて履歴に残すようにすれば、正常な場合と不正な場合とを区別することもでき、効果的に監視を行うことができる。さらに、呼出間隔変更手段により呼出波を送信する間隔を適宜変更すれば、ＩＣタグを設置した部材により、最適な間隔で呼出波を送信し、電力消費を最低限に抑えつつ効果的な監視を行うことができる。
【００９５】
請求項２に記載の監視システムによれば、請求項１に記載の発明の効果に加え、呼出間隔変更手段により、複数のＩＣタグごとに呼出波の送信間隔を設定し、ＩＣタグを設置した部材により、最適な間隔で呼出波を送信し、電力消費を最低限に抑えつつ効果的な監視を行うことができる。
【００９６】
請求項３に記載の監視システムによれば、送信設定手段により呼出波を送信するかどうかを適宜変更すれば、ＩＣタグを設置した部材や時間帯により、必要な時のみ呼出波を送信し、電力消費を最低限に抑えつつ効果的な監視を行うことができる。
【００９７】
請求項４に記載の監視システムによれば、請求項１乃至３の何れかに記載の発明の効果に加え、ＩＣタグとアンテナの距離が離れると、受信回路が反射波を受信できなくなり、通信不能となる。従って、ＩＣタグを開閉する部材に設置したような場合、部材が開放されることによってＩＣタグとアンテナの距離が離れると通信不能になるので、開放を検知することができる。
【００９８】
請求項５に記載の監視システムによれば、請求項１乃至４の何れかに記載の発明の効果に加え、記憶手段が、判定結果又は、監視履歴データを記憶するので、ＩＣタグの監視履歴を後から参照することができる。また、不正が行われた正確な時刻を知ることができるため、監視システムの設置された装置のある遊技場等に監視カメラが設置されている場合には、監視カメラの撮影時刻と照合すれば、不正行為をなした人物を特定することも可能である。
【００９９】
請求項６に記載の監視システムによれば、請求項１乃至５の何れかに記載の発明の効果に加え、正常であれ異常であれ状態の変化がない場合は記憶せず、状態の変化があった場合のみ記憶するようにしたので、記憶容量を節約することができる。
【０１００】
請求項７に記載の監視システムによれば、請求項１乃至６の何れかに記載の発明の効果に加え、記憶された判定結果や監視履歴データが外部に出力されるので、異常と判定された場合に光や音等で報知する等して注意を喚起することができる。
【０１０１】
請求項８に記載の監視システムによれば、請求項１乃至７の何れかに記載の発明の効果に加え、出力された判定結果や監視履歴データは外部装置において報知を行ったり、外部装置側で記憶してＩＣタグの監視履歴を後から参照することができる。また、不正が行われた正確な時刻を知ることができるため、監視システムの設置された装置のある遊技場等に監視カメラが設置されている場合には、監視カメラの撮影時刻と照合すれば、不正行為をなした人物を特定することも可能である。
【０１０２】
請求項９に記載の監視システムによれば、請求項８に記載の発明の効果に加え、正常であれ異常であれ状態の変化がない場合は外部に出力せず、状態の変化があった場合のみ外部に出力するようにしたので、効率的に出力結果を利用することができる。
【０１０３】
請求項１０に記載の遊技機によれば、請求項１乃至９のいずれかに記載の発明の効果を奏することができる。
【０１０４】
請求項１１に記載の遊技機によれば、請求項１０に記載の発明の効果に加え、ＩＣタグと、アンテナとが本体部材とカバー部材に別個に設けられ、本体部材とカバー部材が組み付けられた状態の時に、両者は封入部材に封入されているため、カバー部材が開けられると、ＩＣタグとアンテナの相対位置が変化し、通信不能状態となる。これを外部に出力したり、記憶して履歴を取ったりすることにより、基板の交換等を目的とした不正な開放を検知することができる。すぐに報知するように構成すれば、不正行為の早期発見に役立つ。
【０１０５】
請求項１２に記載の遊技機によれば、請求項１０に記載の発明の効果に加え、可動部材が動作すると、反射波が受信できなくなり、これを所定条件の成立の有無とつきあわせることにより、正常な動作か不正行為かを検知することができる。
【０１０６】
請求項１３に記載の装置管理システムによれば、請求項７乃至９のいずれかに記載の発明の効果に加え、管理機の監視履歴データ受信手段が、ＩＣタグ監視装置の出力手段から出力された判定結果や監視履歴データを受信する。従って、個々の装置の監視履歴データを管理機側で把握して早期に対応することが可能になる。
【０１０７】
請求項１４に記載の装置管理システムによれば、請求項１３に記載の発明の効果に加え、受信した個々の装置の監視履歴データを管理機側で一括して記憶し、ＩＣ監視装置の記憶内容をクリアしたり、複数の装置の監視履歴を比較したりする等、柔軟な対応が可能になる。
【０１０８】
請求項１５に記載の装置管理システムによれば、請求項１３又は１４に記載の発明の効果に加え、複数の装置の監視履歴をまとめて一ヶ所で表示したり、警告ランプや音等で報知したりして不正行為等に効率的に対応できる。
【図面の簡単な説明】
【図１】本実施の形態の遊技機管理システムの構成図である。
【図２】パチンコ機１の斜視図である。
【図３】パチンコ機１の背面図である。
【図４】パチンコ機１及びＲ／Ｗユニット５６の電気的構成を示すブロック図である。
【図５】ＩＣタグ２５の平面図である。
【図６】ＩＣタグ２５の電気的回路構成を示すブロック図である。
【図７】基板ボックス８０の斜視図である。
【図８】開閉扉１６ａが開放されている状態のアタッカ部材１６０の斜視図である。
【図９】島コンピュータ１００の正面図である。
【図１０】島コンピュータ１００の電気的構成を示すブロック図である。
【図１１】監視ＯＮ／ＯＦＦ設定記憶エリア３２ａのデータ構造を示す模式図である。
【図１２】呼出間隔記憶エリア３２ｂのデータ構造を示す模式図である。
【図１３】Ｒ／Ｗユニット５６、及びハンディターミナル４００で使用する監視履歴データの模式図である。
【図１４】島コンピュータ１００で使用する監視履歴データの模式図である。
【図１５】Ｒ／Ｗユニット５６で行われるＩＣタグ監視メイン処理のフローチャートである。
【図１６】Ｒ／Ｗユニット５６で行われるＩＣタグ監視処理のフローチャートである。
【図１７】島コンピュータ１００がパチンコ機１から監視履歴データを受信し、報知する島コンピュータ処理のフローチャートである。
【図１８】ＨＴ４００の斜視図である。
【図１９】ＨＴ４００の電気的構成を示すブロック図である。
【図２０】ＨＴ４００の表示パネル４０３に表示されるメインメニュー画面のイメージ図である。
【図２１】監視処理ＯＮ／ＯＦＦ設定画面のイメージ図である。
【図２２】呼出間隔設定画面のイメージ図である。
【図２３】監視履歴表示画面のイメージ図である。
【符号の説明】
１　パチンコ機
２　遊技盤
４　遊技領域
１３　ガラス枠
１６　大入賞口
１６ａ　開閉扉
１６ｂ　開口部
２４　管理用ＩＣタグ
２４ｋ　ケーブル
２５　ＩＣタグ
２６　ＩＣタグ
３２ａ　監視ＯＮ／ＯＦＦ設定記憶エリア
３２ｂ　呼出間隔記憶エリア
３２ｃ　監視履歴データ記憶エリア
３５　アンテナ
３６　アンテナ
５６　リーダライタユニット（Ｒ／Ｗユニット）
５６ｋ　同軸ケーブル
８０　基板ボックス
８０ａ　上蓋部
８０ｃ　下蓋部
１００　島コンピュータ
１０４１　監視履歴データ記憶エリア
１０７　表示器
１０８　警告ランプ
１１０　クリアボタン
３００　ホールコンピュータ
４００　ハンディターミナル（ＨＴ）
４０１　読取ユニット
４０２　アンテナ
４０３　表示パネル
４２２　監視履歴データ記憶エリア
５００　遊技機設置島
【図１】
2004102992.tif 000003
【図２】
2004102992.tif 000004
【図３】
2004102992.tif 000005
【図４】
2004102992.tif 000006
【図５】
2004102992.tif 000007
【図６】
2004102992.tif 000008
【図７】
2004102992.tif 000009
【図８】
2004102992.tif 000010
【図９】
2004102992.tif 000011
【図１０】
2004102992.tif 000012
【図１１】
2004102992.tif 000013
【図１２】
2004102992.tif 000014
【図１３】
2004102992.tif 000015
【図１４】
2004102992.tif 000016
【図１５】
2004102992.tif 000017
【図１６】
2004102992.tif 000018
【図１７】
2004102992.tif 000019
【図１８】
2004102992.tif 000020
【図１９】
2004102992.tif 000021
【図２０】
2004102992.tif 000022
【図２１】
2004102992.tif 000023
【図２２】
2004102992.tif 000024
【図２３】
2004102992.tif 000025